(57)【要約】【課題】本発明は、履物を洗濯ネットに収納して洗濯機で洗濯するにあたり、履物の損傷や型崩れを防止し、洗濯中に洗濯ネットに収納した履物が衝突して発生する異音を防止し、高い洗浄効果を得られる履物を収納する洗濯ネットを提供する。【解決手段】網体からなる袋状体１に開口部３を備えさせ、該開口部をスライドファスナー５により開閉自在とし、該袋状体１の内側に複数の突出部１７を配設し、該袋状体１の内側の一部又は全部に突起物２３を設けたことを特徴とする洗濯ネット。【選択図】図１
2018020215.tif 000002
【特許請求の範囲】
【請求項１】
網体からなる袋状体に開口部を備えさせ、該開口部をスライドファスナーにより開閉自在とし、該袋状体の内側に複数の突出部を備えさせ、該袋状体の内側の一部又は全部に突起物を設けたことを特徴とする洗濯ネット。
【請求項２】
前記複数の突出部それぞれは、柱状のものからなることを特徴とする請求項１記載の洗濯ネット。
【請求項３】
前記複数の突出部は、横方向に間隔を空けて立設したものであり、
前記袋状体は、底部に形状保持手段を備え、前記複数の突出部が支えとなって自立するものであることを特徴とする請求項２記載の洗濯ネット。
【請求項４】
前記袋状体は、内面網体と外面網体とを相互に密着させてなる二重構造のものであり、
前記内面網体は、前記袋状体の内面及び前記複数の突出部の表面を覆うものであり、
前記突起物は、前記内面網体の全面に配設されたものであることを特徴とする請求項１〜３のうちいずれか１項記載の洗濯ネット。
【発明の詳細な説明】
【技術分野】
【０００１】
本発明は、上履や運動靴等の履物を洗濯機により洗濯する際に該履物を収納する洗濯ネットに関する。
【背景技術】
【０００２】
本出願人は、実用新案登録番号第３１７５９３８号公報により、衣類を洗濯機により洗濯する際に該衣類を収納する洗濯ネットであって、洗濯中における衣類に対する糸くず等の付着、衣類の損傷等を防止するために該衣類を内部に収納した状態で洗濯槽内に投入される洗濯ネット（以下「従来の洗濯ネット」という。）を提供している。
【先行技術文献】
【特許文献】
【０００３】
【特許文献１】実用新案登録第３１７５９３８号公報
【発明の概要】
【発明が解決しようとする課題】
【０００４】
しかるに、上記従来の洗濯ネットにおいては、次のような問題が生ずる。
【０００５】
（イ）洗濯ネットに収納された履物は、洗濯機にて洗濯中に洗濯槽の内面に衝突し、異音を発生させる。また、洗濯ネットに収納された履物が洗濯層内面に衝突することや洗濯ネット内で履物同士が無造作に動いて衝突することにより、履物の型崩れや損傷の恐れがある。
【０００６】
（ロ）履物を洗濯ネット内に収納して洗濯機で洗濯した場合、ブラシを使って履物の汚れをかき落とすなどして手洗いをした場合より汚れを落とす効果が低い。
【課題を解決するための手段】
【０００７】
上記課題を解決するために、本発明は、下記洗濯ネットを提供する。
【０００８】
（１）網体からなる袋状体に開口部を備えさせ、該開口部をスライドファスナーにより開閉自在とし、該袋状体の内側に複数の突出部を備えさせ、該袋状体の内側の一部又は全部に突起物を設けたことを特徴とする洗濯ネット（請求項１）。
【０００９】
（２）前記複数の突出部それぞれは、柱状のものからなる（請求項２）。
【００１０】
（３）前記複数の突出部は、横方向に間隔を空けて立設したものであり、
前記袋状体は、底部に形状保持手段を備え、前記複数の突出部が支えとなって自立するものである（請求項３）。
【００１１】
（４）前記袋状体は、内面網体と外面網体とを相互に密着させてなる二重構造のものであり、
前記内面網体は、前記袋状体の内面及び前記複数の突出部の表面を覆うものであり、
前記突起物は、前記内面網体の全面に配設されたものである（請求項４）。
【発明の効果】
【００１２】
本発明によれば、洗濯ネットの内側に備えさせた突出部は、洗濯ネットに収納された履物が洗濯槽に衝突した際の緩衝材の役目を果たす。また、該突出部は洗濯ネット内での履物を挟持することにより履物同士が無造作に動いて衝突することを防止することができる。その結果、洗濯中の異音発生防止効果及び履物の損傷防止効果を備えた洗濯ネットを提供することができる。
【００１３】
更に、洗濯ネットの内面に配設した突起物が洗濯ネット内の履物の表面を擦ることにより履物の表面の汚れをかき落とし、履物の洗浄効果に優れた洗濯ネットを提供することができる。
【図面の簡単な説明】
【００１４】
【図１】図１は、本発明による洗濯ネットの一例を示す斜視図である。
【図２】図２は、本発明による洗濯ネットの一例を示す正面図である。
【図３】図３は、本発明による洗濯ネットの一例を示す縦断面図である。
【図４】図４は、本発明による洗濯ネットの一例を示す横断面図である。
【図５】図５は、本発明による洗濯ネットの内面の突起物の一例を示す拡大図である。
【図６】図６は、本発明による洗濯ネットの内面の突起物の別の一例を示す拡大図である。
【図７】図７は、本発明による洗濯ネットの内面の突起物の別の一例を示す拡大図である。
【図８】図８は、本発明による洗濯ネットの内面の全部に突起物がある一例を示す断面図である。
【図９】図９は、本発明による洗濯ネットの内面の一部に突起物がある一例を示す断面図である。
【図１０】図１０は、本発明による洗濯ネットの使用状態の一例を示す断面図である。
【図１１】図１１は、本発明による洗濯ネットの使用状態の別の一例を示す断面図である。
【発明を実施するための形態】
【００１５】
本発明の実施の形態について図面を参照して説明する。
【００１６】
本発明の洗濯ネットは、網製の袋状体１に開口部３を備えさせ、該開口部にスライドファスナー５を略直線状に配設して開閉自在とし、袋状体１に取っ手１１とリボン１５を取り付け、スライドファスナー５のプルタブ７に紐体９を取り付けた。スライドファスナー５におけるプルタブ７が袋状体１から外方に突出しないようになす点、袋状体１は、底部１９に形状保持手段を備えている点、袋状体１の側面にカラーベルト１３を備えている点において、上記従来の洗濯ネットと共通する。
【００１７】
次に、本発明の洗濯ネットが上記従来の洗濯ネットと異なる点について説明する。
【００１８】
図１は本発明の一例としての洗濯ネット１の斜視図、図２は同正面図である。図３は図１のＡ−Ａ’断面図、図４は図２のＢ−Ｂ’断面図である。一例として袋状体１の相対向する各内面に４本の柱状の突出部１７を配設する。突出部１７は緩衝性を有する必要があり、図１ないし４に示す突出部１７は発泡材よりなる。袋状体１の内面に配設された突出部１７は、袋状体１の収納された履物が洗濯槽内面の衝突した際の衝撃に対する緩衝効果をなし、履物の型崩れや損傷、洗濯槽稼働時の異音の発生等を防止する。袋状体１内面の突出部１７と突出部１７との間に履物を挟持させることにより、履物同士が無造作に動いて衝突することがなくなり履物の型崩れや損傷等を防止する。
図１１に示すように、突出部は球状でもよい。
【００１９】
袋状体１は、底部に形状保持手段２５を備えており、突出部１７が支えとなって袋状体１は自立する。そのため、袋状体１に履物を容易に収納できる。
【００２０】
袋状体１は内面網体１９と外面網体２１とを相互に密着させてなる二重構造とした。内面網体１９は袋状体１の内面及び突出部１７の表面を覆うものとし、内面網体１９上には袋状体１の内側に向けて突起物２３を配設した。内面網体１９及び突起物２３は、ポリエステル、ナイロン、ポリプロピレン等からなるのが好ましい。突起物２３の形状は図５ないし図７に示すとおりパイル状、繊維の編み込み状、起毛状などが好ましい。
【００２１】
突起物２３は、内面網体１９の全面又は一部に配設する。図８は洗濯ネット内面網体１９の全面に突起物２３を配設した一例である。図９は内面網体１９の一部に突起物２３を配設した一例である。内面網体１９の一部に突起物２３を配設する場合、突起物２３は各突出部１７の表面を覆う内面網体１９及び各突出部１７の近傍の内面網体１９に配設するのが好ましい。
【００２２】
履物を袋状体１に収納して洗濯槽に投入すると、洗濯機稼働中の水流により、袋状体１の内面の突起物２３は袋状体１に収納された履物の表面を擦ることにより履物の表面の汚れがかき落とされ、優れた洗浄効果が得られる。なお、該袋状体は一重の網体からなるものでもよい。
【００２３】
図１０は、本発明の使用状態の一例として袋状体１に上履き２７を収納した状態を表した。突出部１８ａと隣の突出部１８ｂとの間に上履き２７の一方を挟み、突出部１８ｃと突出部１８ｄとの間に上履き２５のもう一方を挟む。突出部１８ａないし１８ｄは袋状体１が洗濯槽内面に衝突した際の衝撃に対する緩衝効果をなし、袋状体１に収納された上履き２７の型崩れや損傷及び洗濯時の異音の発生等を防止する。上履き２７は、突出部１８ａないし１８ｄに挟持されているため、上履き２７同士が無造作に動いて衝突することによる上履き２７の型崩れや損傷等を防止する。図８の一例においては、突起物２３は突出部１８ａないし１８ｄの表面を覆う内面網体１９及び該突出部の近傍の内面網体１９に配設した。
【００２４】
図１１は、球状突出部３１を備えた洗濯ネットの使用状態の一例として運動靴２９を挿入した状態を表した。球状突出部３３は袋状体１の内側にランダムに配設することにより、種々の形状や大きさの履物を挟持することが可能になる。図１１の一例においては、突起物２３は球状突起物３１の表面を覆う内面網体１９を含む内面網体１９の全面に配設した。
【００２５】
以上、添付図面を参照して本発明の好ましい実施形態を説明したが、本発明はかかる実施形態、実施例に限定されるものではなく、特許請求の範囲の記載から把握される技術的範囲において種々に変更可能である。
【符号の説明】
【００２６】
１  袋状体
３  開口部
５  スライドファスナー
７  スライドファスナーのプルタブ
９  紐体
１１  取っ手
１３  カラーベルト
１５  リボン
１７  突出部
１８ａ〜１８ｄ  突出部
１９  内面網体
２１  外面網体
２３  突起物
２５  底部の形状保持手段
２７  上履き
２９  運動靴
３１  球状突出部
【図１】
2018020215.tif 000003
【図２】
2018020215.tif 000004
【図３】
2018020215.tif 000005
【図４】
2018020215.tif 000006
【図５】
2018020215.tif 000007
【図６】
2018020215.tif 000008
【図７】
2018020215.tif 000009
【図８】
2018020215.tif 000010
【図９】
2018020215.tif 000011
【図１０】
2018020215.tif 000012
【図１１】
2018020215.tif 000013